(57)【要約】【課題】従来技術の問題点を解決できる薄膜表示板及び液晶表示装置を提供する。【解決手段】本発明の一実施形態による液晶表示装置用の薄膜表示板は、複数の画素及び表示信号線の殆どが形成されている表示領域と、表示領域の外側の周辺領域とを有し、基板、基板上に形成されている遮蔽部材及びゲート線、遮蔽部材及びゲート線上に形成されている第１絶縁膜、第１絶縁膜上に形成されている半導体層、半導体層上に形成されているデータ線、およびデータ線と分離されているドレイン電極を備え、遮蔽部材は周辺領域に形成されている。このような構成で、ランプによる影響を遮断して画面上の滝現象を除去すると同時に、マスクの簡単な設計変更で遮蔽部材を形成することによって製造コストを節減することができる。【選択図】図５
2006201772.tif 000002
【特許請求の範囲】
【請求項１】
表示領域と前記表示領域の外側周辺の周辺領域とを有する薄膜表示板を備える液晶表示装置であって、
前記薄膜表示板は、
基板と、
前記基板の前記表示領域と前記周辺領域の上に形成されている導電性配線と、
前記導電性配線と絶縁され前記基板の前記周辺領域上に前記導電性配線と同一層で形成されている遮蔽部材と、
前記導電性配線及び前記遮蔽部材の上に形成され、前記周辺領域の前記導電性配線の一部が露出するように形成されたコンタクトホールを有する絶縁膜と、
前記絶縁膜上に前記遮蔽部材と重畳するように形成され、前記絶縁膜の前記コンタクトホールを介して前記周辺領域の導電性配線と電気的に接続される接触パッドと、
前記薄膜表示板の背面に配設されて光を提供する光源と
を備え、
前記光源が前記薄膜表示板の遮蔽部材と少なくとも一部重畳する
液晶表示装置。
【請求項２】
前記薄膜表示板の前記接触パッドに電気的に接続されている駆動回路をさらに備える請求項１に記載の液晶表示装置。
【請求項３】
前記導電性配線はゲート信号を伝達するゲート線である、請求項１または２に記載の液晶表示装置。
【請求項４】
前記導電性配線はデータ信号を伝達するデータ線である、請求項１または２に記載の液晶表示装置。
【請求項５】
前記接触パッドは前記駆動チップが装着される陥没部を有する、請求項１ないし４の何れかに記載の液晶表示装置。
【請求項６】
前記接触パッドは透明電極である、請求項１ないし５の何れかに記載の液晶表示装置。
【請求項７】
表示領域と前記表示領域の外側周辺の周辺領域とを有する基板と、
前記基板の前記周辺領域上に形成されている遮蔽部材と、
前記基板の前記表示領域と前記周辺領域の上に形成されている導電性配線と、
前記遮蔽部材及び前記導電性配線の上に形成されている第１絶縁膜と
を備える薄膜表示板。
【請求項８】
前記周辺領域に位置した前記導電性配線の一部を露出させる、前記第１絶縁膜に形成されているコンタクトホールと、
前記遮蔽部材の少なくとも一部と重畳する前記第１絶縁膜上に形成されている接触パッドと
をさらに備え、
前記接触パッドは、前記第１絶縁膜に形成された前記コンタクトホールを介して前記周辺領域内の前記導電性配線に電気的に接続されている、
請求項７に記載の薄膜表示板。
【請求項９】
前記遮蔽部材上の前記接触パッドに電気的に接続されている駆動回路と、
前記薄膜表示板の背面に配設されて光を提供する光源と
をさらに備える請求項８に記載の薄膜表示板。
【請求項１０】
前記導電性配線はゲート線を含む、請求項７に記載の薄膜表示板。
【請求項１１】
前記第１絶縁膜上に形成されている半導体層と、
前記半導体層の上に形成されているデータ線と、
前記データ線と分離されているドレイン電極と
をさらに備える請求項７ないし１０の何れかに記載の薄膜表示板。
【請求項１２】
前記データ線及び前記ドレイン電極上に形成されている第２絶縁膜と、
前記第２絶縁膜上に形成され、前記ドレイン電極と接続される画素電極と
をさらに備える請求項１１に記載の薄膜表示板。
【請求項１３】
前記第２絶縁膜には外部装置との接触のための補助孔が形成されており、前記第１絶縁膜及び前記第２絶縁膜には前記ゲート線を露出させる前記コンタクトホールが形成されている、請求項１２に記載の薄膜表示板。
【請求項１４】
前記補助孔とその周辺に形成されており、前記コンタクトホールを介して前記ゲート線と接続される連結部材をさらに備える請求項１３に記載の薄膜表示板。
【請求項１５】
前記遮蔽部材は接地電圧に電気的に接続されている、請求項７ないし１３の何れかに記載の薄膜表示板。
【請求項１６】
前記遮蔽部材は定電圧に電気的に接続されている、請求項７ないし１３の何れかに記載の薄膜表示板。
【請求項１７】
前記遮蔽部材は所定回路が供給する電圧に電気的に接続されている、請求項７ないし１３の何れかに記載の薄膜表示板。
【請求項１８】
前記所定回路は可撓性印刷回路を含む、請求項１７に記載の薄膜表示板。
【請求項１９】
複数の画素及び表示信号線の殆どが形成されている表示領域と、前記表示領域の外側周辺の周辺領域とを有する薄膜表示板と、
前記周辺領域の下に少なくとも一部が位置する光源部と
を備え、
前記表示信号線は第１信号線を含み、
前記周辺領域には前記第１信号線と同一層で形成される遮蔽部材が形成されている、
液晶表示装置。
【請求項２０】
前記薄膜表示板は、
前記遮蔽部材及び前記第１信号線の上に形成されている第１絶縁膜と、
前記第１絶縁膜の上に形成されている半導体層と
を備える、
請求項１９に記載の液晶表示装置。
【請求項２１】
前記表示信号線は、前記半導体層上に形成されている前記第２信号線をさらに有し、
前記液晶表示装置は前記第２信号線と分離されている出力電極をさらに備える
請求項２０に記載の液晶表示装置。
【請求項２２】
前記第２信号線及び前記出力電極上に形成されている第２絶縁膜と、
前記第２絶縁膜上に形成され、前記出力電極と接続される画素電極と
をさらに備える請求項２１に記載の液晶表示装置。
【請求項２３】
前記第２絶縁膜には外部装置との接触のための補助孔が形成されており、前記第１絶縁膜及び前記第２絶縁膜には、前記第１信号線を露出させるコンタクトホールが形成されている、請求項２２に記載の液晶表示装置。
【請求項２４】
前記補助孔とその周辺に形成されており、前記コンタクトホールを介して前記第１信号線と接続される連結部材をさらに備える請求項２３に記載の液晶表示装置。
【請求項２５】
前記第１信号線はゲート信号を伝達するゲート線である、請求項２１ないし２４の何れかに記載の液晶表示装置。
【請求項２６】
前記第２信号線はデータ電圧を伝達するデータ線である請求項２１ないし２５の何れかに記載の液晶表示装置。
【請求項２７】
前記遮蔽部材は接地電圧に電気的に接続されている、請求項１９ないし２６の何れかに記載の液晶表示装置。
【請求項２８】
前記光源部はＣＣＦＬを含む、請求項１９ないし２７の何れかに記載の液晶表示装置。
【請求項２９】
前記第１信号線にゲート信号を印加するゲート駆動集積回路及び前記第２信号線にデータ電圧を印加するデータ駆動集積回路をさらに備え、
前記ゲート駆動集積回路及びデータ駆動集積回路は前記遮蔽部材の上に実装される、
請求項２１ないし２４の何れかに記載の液晶表示装置。
【請求項３０】
前記ゲート駆動集積回路及びデータ駆動集積回路は前記周辺領域にＣＯＧ方式で実装される、請求項２９に記載の液晶表示装置。
【請求項３１】
前記遮蔽部材は定電圧に電気的に接続されている、請求項１９ないし３０の何れかに記載の液晶表示装置。
【請求項３２】
前記遮蔽部材は所定回路が供給する電圧に電気的に接続されている、請求項１９ないし３０の何れかに記載の液晶表示装置。
【請求項３３】
前記所定回路は可撓性印刷回路を含む、請求項３２に記載の液晶表示装置。
【発明の詳細な説明】
【技術分野】
【０００１】
本発明は、液晶表示装置用薄膜表示板及び液晶表示装置に関する。
【背景技術】
【０００２】
一般の液晶表示装置（ＬＣＤ）は、画素電極及び共通電極が備えられた二つの表示板と、その間に入っている誘電率異方性を有する液晶層とを備える。画素電極は行列状に配列されており、薄膜トランジスタ（ＴＦＴ）などのスイッチング素子に接続されて一行ずつ順次にデータ電圧の印加を受ける。共通電極は表示板の全面に亘って形成されており、共通電圧の印加を受ける。画素電極と共通電極及びその間の液晶層は回路的に見れば、液晶キャパシタをなし、液晶キャパシタはこれに接続されたスイッチング素子と共に画素を構成する基本単位となる。
【０００３】
このような液晶表示装置では、二つの電極に電圧を印加して液晶層に電界を生成し、この電界の強さを調節して液晶層を通過する光の透過率を調節することによって、所望の画像を得る。
【０００４】
この時の光は、別途備えられた人工光源であるか、自然光であることができる。
【０００５】
液晶表示装置用光源、つまりバックライト装置は、光源としてＣＣＦＬ（cold cathode fluorescent lamp）やＥＥＦＬ（external electrode fluorescent）などのような複数個の蛍光ランプ（fluorescent lamp）を使用するものであり、ランプを駆動するインバータを備える。インバータは、外部から入力される明るさ制御電圧によって入力される直流電圧を交流電圧に変換した後、ランプに印加して点灯させ、ランプの明るさを調節し、ランプに流れる電流を感知し、該電流に基づいてランプに印加される電圧を制御する。
【０００６】
インバータが直流電圧を交流電圧に変換するときに一定の周波数を有するが、例えばフレームの周波数の３倍乃至４倍の周波数でバックライトの点灯を制御する。
【０００７】
しかし、このようなバックライトの点滅は、バックライト上側に位置したゲートパッドまたはデータパッドと、これに接続されているゲート駆動ICまたはデータ駆動ICとに影響を及ぼして画面上に滝現象（water-fall、ウォーターフォール）という規則的な帯の流れを発生させる。
【０００８】
このような滝現象を防ぐためにバックライトと表示板との間に中間シャーシを設けたり、絶縁テープと遮蔽部材を備える。
【０００９】
しかし、中間シャーシまたは絶縁テープを装着するための工程が追加されると共にコストがかかり、製造コストが上昇する要因となる。
【発明の開示】
【発明が解決しようとする課題】
【００１０】
本発明の目的は、このような従来技術の問題点を解決できる薄膜表示板及び液晶表示装置を提供することである。
【課題を解決するための手段】
【００１１】
このような目的を解決するための本発明の一実施形態による表示領域と周辺領域とを有する薄膜表示板を備える液晶表示装置において、薄膜表示板は、基板、基板の表示領域と周辺領域の上に形成されている導電性配線、導電性配線と絶縁され基板の周辺領域の上に導電性配線と同一層で形成されている遮蔽部材、導電性配線及び遮蔽部材の上に形成され、周辺領域の導電性配線の一部が露出するように形成されたコンタクトホールを有する絶縁膜、並びに絶縁膜上に遮蔽部材と重畳するように形成され、絶縁膜のコンタクトホールを介して周辺領域の導電性配線と電気的に接続される接触パッド、並びに薄膜表示板の背面に配設されて光を提供する光源を備え、光源は薄膜表示板の遮蔽部材と少なくとも一部が重畳する。
【００１２】
液晶表示装置は、薄膜表示板の接触パッドに電気的に接続されている駆動回路をさらに備えることができ、導電性配線は、ゲート信号を伝達するゲート線であり得る。
【００１３】
また、導電性配線は、データ信号を伝達するデータ線であることができ、接触パッドは、駆動チップが装着される陥没部（depression）を有することができる。
【００１４】
また、接触パッドは透明電極であり得る。
【００１５】
一方、本発明の一特徴による薄膜表示板は、表示領域と、表示領域の外側周辺の周辺領域とを有する基板、基板の周辺領域の上に形成されている遮蔽部材、基板の表示領域と周辺領域の上に形成されている導電性配線、並びに遮蔽部材及び導電性配線の上に形成されている第１絶縁膜を備える。
【００１６】
薄膜表示板は、周辺領域に位置した導電性配線の一部を露出させ、第１絶縁膜に形成されているコンタクトホール、並びに遮蔽部材の少なくとも一部と重畳する第１絶縁膜上に形成されている接触パッドをさらに備え、接触パッドは、第１絶縁膜に形成されたコンタクトホールを介して周辺領域内の導電性配線に電気的に接続されることができる。
【００１７】
また、薄膜表示板は、遮蔽部材の上の接触パッドに電気的に接続されている駆動回路、並びに薄膜表示板の背面に配設されて光を提供する光源をさらに備えることができる。
【００１８】
導電性配線はゲート線を含むことができ、この時薄膜表示板は、第１絶縁膜上に形成されている半導体層、半導体層上に形成されているデータ線、及びデータ線と分離されているドレイン電極をさらに備えることができる。
【００１９】
また、データ線及びドレイン電極の上に形成されている第２絶縁膜、並びに第２絶縁膜の上に形成され、ドレイン電極と接続される画素電極をさらに備えることができ、第２絶縁膜には外部装置との接触のための補助孔が形成されており、第１及び第２絶縁膜にはゲート線を露出させるコンタクトホールが形成されることができる。
【００２０】
また、薄膜表示板は、補助孔とその周辺に形成され、コンタクトホールを介してゲート線と接続される連結部材をさらに備えることができる。
【００２１】
遮蔽部材は、接地電圧に電気的に接続されることができる。
【００２２】
または、遮蔽部材は、定電圧に電気的に接続されることができる。
【００２３】
さらに、遮蔽部材は、所定回路が供給する電圧に電気的に接続されることができ、所定回路は可撓性印刷回路を含むことができる。
【００２４】
一方、本発明の他の特徴による液晶表示装置は、複数の画素及び表示信号線の殆どが形成されている表示領域と表示領域の外側周辺の周辺領域とを有する薄膜表示板、並びに周辺領域の下に少なくとも一部が位置する光源部を備え、表示信号線は第１信号線を含み、周辺領域には第１信号線と同一層で形成される遮蔽部材が形成されている。
【００２５】
この時、薄膜表示板は、遮蔽部材及び第１信号線の上に形成されている第１絶縁膜、並びに第１絶縁膜の上に形成されている半導体層を備えることができる。
【００２６】
表示信号線は、半導体層の上に形成されている第２信号線をさらに含み、液晶表示装置は、第２信号線と分離されている出力電極をさらに備えることができる。
【００２７】
また、液晶表示装置は、第２信号線及び出力電極の上に形成されている第２絶縁膜、並びに第２絶縁膜の上に形成され、出力電極と接続される画素電極をさらに備えることができる。
【００２８】
第２絶縁膜には、外部装置との接触のための補助孔が形成されており、第１及び第２絶縁膜には第１信号線を露出させるコンタクトホールが形成されることができる。
【００２９】
液晶表示装置は、補助孔とその周辺に形成されており、コンタクトホールを介して第１信号線と接続される連結部材をさらに備えることができる。
【００３０】
第１信号線はゲート信号を伝達するゲート線であることができ、第２信号線はデータ電圧を伝達するデータ線であることができる。
【００３１】
遮蔽部材は接地電圧に電気的に接続されることができ、光源部はＣＣＦＬ（cold cathode fluorescent lamp）を有することができる。
【００３２】
また、液晶表示装置は、第１及び第２信号線にゲート信号及びデータ電圧を印加する複数のゲート駆動集積回路及びデータ駆動集積回路をさらに備え、ゲート駆動集積回路及びデータ駆動集積回路は、遮蔽部材上に実装され得る。
【００３３】
ゲート駆動集積回路及びデータ駆動集積回路は、周辺領域にＣＯＧ（chip on glass）方式で実装されることができる。
【００３４】
遮蔽部材は定電圧に電気的に接続されることができる。
【００３５】
また、遮蔽部材は、所定回路が供給する電圧に電気的に接続されることができ、所定回路は可撓性印刷回路を含むことができる。
【００３６】
添付した図面を参照して本発明の実施形態について詳細に説明することによって本発明を明らかにする。
【発明の効果】
【００３７】
ランプによる影響を遮断して画面上の滝現象を除去すると同時に、マスクの単純な設計変更で遮蔽部材を形成することによって製造コストを節減することができる。
【発明を実施するための最良の形態】
【００３８】
以下、添付した図面を参照して、本発明の実施形態を、本発明が属する技術分野における通常の知識を有する者が容易に実施することができるように詳細に説明する。しかし、本発明は、多様な形態で実現することができ、ここで説明する実施形態に限定されない。
【００３９】
図面は、各種層及び領域を明確に表現するために、厚さを拡大して示している。明細書全体を通じて類似した部分については同じ参照符号を付けている。層、膜、領域、板などの部分が、他の部分の「上に」あるとする時、これは他の部分の「すぐ上に」ある場合に限らず、その中間に更に他の部分がある場合も含む。ある部分が他の部分の「すぐ上に」あるとする時、これは中間に他の部分がない場合を意味する。
【００４０】
本発明の実施形態による液晶表示装置について図面を参照して詳細に説明する。
【００４１】
図１は、本発明の一実施形態による液晶表示装置のブロック図であり、図２は、本発明の一実施形態による液晶表示装置の一つの画素に対する等価回路図であり、図３は、本発明の一実施形態による液晶表示装置の概略図である。
【００４２】
図１に示すように、本発明の一実施形態による液晶表示装置は、液晶表示板組立体３００と、これに接続されたゲート駆動部４００及びデータ駆動部５００、データ駆動部５００に接続された階調電圧生成部８００、液晶表示板組立体３００に光を照射するバックライト装置９００、並びにこれらを制御する信号制御部６００を備える。
【００４３】
液晶表示板組立体３００は、等価回路的に見れば複数の表示信号線（G1-Gn、D1-Dm）と、これに接続されほぼ行列状に配列された複数の画素（pixel）とを有する。
【００４４】
表示信号線（G1-Gn、D1-Dm）は、ゲート信号（走査信号とも言う）を伝達する複数のゲート線（G1-Gn）と、データ信号を伝達するデータ線（D1-Dm）とを有する。図１の例において、ゲート線（G1-Gn）は行方向に延びて互いに平行であり、データ線（D1-Dm）は列方向に延びて互いに平行である。
【００４５】
各画素は、表示信号線（G1-Gn、D1-Dm）に接続されたスイッチング素子（Q）と、これに接続された液晶キャパシタ（CLC）及びストレージキャパシタ（CST）とを有する。ストレージキャパシタ（CST）はそれぞれの実施形態に応じて省略可能である。
【００４６】
薄膜トランジスタなどのスイッチング素子（Q）は下部表示板１００に備えられており、三端子素子であって、その制御端子はゲート線（G1-Gn）に接続され、入力端子はデータ線（D1-Dm）に接続され、出力端子は液晶キャパシタ（CLC）及びストレージキャパシタ（CST）に接続されている。
【００４７】
液晶キャパシタ（CLC）は、下部表示板１００の画素電極１９０と上部表示板２００の共通電極２７０とを二つの端子とし、二つの電極１９０、２７０間の液晶層３は誘電体として機能する。画素電極１９０はスイッチング素子（Q）に接続されており、共通電極２７０は上部表示板２００の全面に形成されて共通電圧（Vcom）の印加を受ける。図２に示す例とは異なって、共通電極２７０が下部表示板１００に備えられる場合もあり、その場合、二つの電極１９０、２７０の少なくとも一つが線形または棒形に形成されることができる。
【００４８】
液晶キャパシタ（CLC）の補助的な役割を果たすストレージキャパシタ（CST）は、下部表示板１００に備えられた別個の信号線（図示せず）と画素電極１９０とが絶縁体を介在して重畳してなり、この別個の信号線には共通電圧（Vcom）などの定められた電圧が印加される。しかし、ストレージキャパシタ（CST）は、画素電極１９０が絶縁体を媒介としてすぐ上の前段ゲート線と重畳してなることもできる。
【００４９】
一方、色表示を実現するため各画素が三原色の一つを固有に表示したり（空間分割）、各画素が時間によって交互に三原色を表示して（時間分割）、これら三原色の空間的、時間的な作用で所望の色が認識されるようにする。図２は、空間分割の一例であって各画素が画素電極１９０に対応する領域に赤色、緑色、または青色のカラーフィルタ２３０を備える構成を示す。図２に示す例とは異なって、カラーフィルタ２３０は下部表示板１００の画素電極１９０の上または下に形成することもできる。
【００５０】
バックライト装置９００は、インバータ（図示せず）と光源部９１０とを有し、光源部９１０は、液晶表示板組立体３００の下部に装着され、少なくとも一つのランプを有する。ランプとしてＣＣＦＬ（cold cathode fluorescent lamp）またはＥＥＦＬ（external electrode fluorescent lamp）を使用するが、発光ダイオード（ＬＥＤ）なども使用可能である。
【００５１】
液晶表示板組立体３００の二つの表示板１００、２００の外側面には、光源部９１０から出る光を偏光させる偏光子（図示せず）が付着されている。
【００５２】
また、液晶表示板組立体３００は、図３に示すように、画素と表示信号線（D1-Dm、G1-Gn）との殆どが含まれる表示領域（DA）と、その外側の周辺領域（PA）とを有する。周辺領域（PA）の一部には、光源部９１０を構成する複数のランプ９１１、９１２が備えられており、周辺領域（PA）全体に遮蔽部材（SP）が形成されている。
【００５３】
階調電圧生成部８００は、画素の透過率に関連する二組の複数階調電圧を生成する。そのうちの一組は、共通電圧（Vcom）に対してプラスの値を有し、もう一組は、マイナスの値を有する。
【００５４】
ゲート駆動部４００は、液晶表示板組立体３００のゲート線（G１-Gn）に接続され、外部からのゲートオン電圧（Von）とゲートオフ電圧（Voff）との組み合わせからなるゲート信号をゲート線（G1-Gn）に印加するものであり、通常複数の集積回路からなる。
【００５５】
データ駆動部５００は、液晶表示板組立体３００のデータ線（D1-Dm）に接続され、階調電圧生成部８００からの階調電圧を選択してデータ信号として画素に印加するものであり、通常複数の集積回路からなる。
【００５６】
複数のゲート駆動集積回路４４０またはデータ駆動集積回路５４０は、図３に示すように、ＣＯＧ（chip on glass）方式で液晶表示板組立体３００に装着できる。この例とは異なって、ＴＣＰ（tape carrier package）に実装してＴＣＰを液晶表示板組立体３００に付着することもでき、また、これら集積回路チップと同じ機能を遂行する回路を液晶表示板組立体３００に直接形成することもできる。
【００５７】
信号制御部６００は、ゲート駆動部４００及びデータ駆動部５００などの動作を制御する。
【００５８】
以下、このような液晶表示装置の表示動作について詳細に説明する。
【００５９】
信号制御部６００は、外部のグラフィック制御部（図示せず）から入力映像信号（R、G、B）及びその表示を制御する入力制御信号、例えば垂直同期信号（Vsync）と水平同期信号（Hsync）、メインクロック（MCLK）、データイネーブル信号（DE）などの提供を受ける。信号制御部６００は、入力映像信号（R、G、B）と入力制御信号とに基づいて、映像信号（R、G、B）を液晶表示板組立体３００の動作条件に合うように適切に処理し、ゲート制御信号（CONT１）及びデータ制御信号（CONT２）などを生成した後、ゲート制御信号（CONT１）をゲート駆動部４００に送出し、データ制御信号（CONT２）と処理した映像信号（DAT）はデータ駆動部５００に送出する。
【００６０】
ゲート制御信号（CONT１）は、ゲートオン電圧（Von）の出力開始を指示する垂直同期開始信号（STV）、ゲートオン電圧（Von）の出力時期を制御するゲートクロック信号（CPV）、ゲートオン電圧（Von）の持続時間を限定する出力イネーブル信号（OE）などを含む。
【００６１】
データ制御信号（CONT２）は、映像データ（DAT）の入力開始を知らせる水平同期開始信号（STH）、データ線（D1-Dm）にデータ電圧の印加を指示するロード信号（LOAD）、共通電圧（Vcom）に対するデータ電圧の極性（以下、共通電圧に対するデータ電圧の極性を略してデータ電圧の極性と言う。）を反転させる反転信号（RVS）、データクロック信号（HCLK）などを含む。
【００６２】
データ駆動部５００は、信号制御部６００からのデータ制御信号（CONT２）に従って一つの行の画素に対する映像データ（DAT）を順次に受信しシフトさせ、階調電圧生成部８００からの階調電圧のうちの各映像データ（DAT）に対応する階調電圧を選択することによって映像データ（DAT）を対応するデータ電圧に変換した後、これを対応するデータ線（D1-Dm）に印加する。
【００６３】
ゲート駆動部４００は、信号制御部６００からのゲート制御信号（CONT１）に従ってゲートオン電圧（Von）をゲート線（G1-Gn）に印加して該ゲート線（G1-Gn）に接続されたスイッチング素子（Q）を導通させ、それによりデータ線（D1-Dm）に印加されたデータ電圧が導通したスイッチング素子（Q）を介して画素に印加される。
【００６４】
画素に印加されたデータ電圧と共通電圧（Vcom）との差は液晶キャパシタ（CLC）の充電電圧、つまり画素電圧として表れる。液晶分子は画素電圧の大きさに応じてその配列が異なり、光源部９１０から出た光は液晶層３を通り、液晶分子の配列に応じてその偏光が変化する。このような偏光の変化は偏光子によって更に変化させられ、光透過率の変化として表れる。
【００６５】
１水平周期（または１H）（水平同期信号Hsync、データイネーブル信号DE、ゲートクロックCPVの一周期）が経過すれば、データ駆動部５００とゲート駆動部４００は次行の画素に対して同じ動作を繰り返す。このような方法で、１フレーム期間中に全ゲート線（G1-Gn）に対して順次にゲートオン電圧（Von）を印加して全画素にデータ電圧を印加する。１フレームが終了すれば次のフレームが開始され、各画素に印加されるデータ電圧の極性が直前フレームでの極性と逆になるように、データ駆動部５００に印加される反転信号（RVS）の状態が制御される（フレーム反転）。この時、１フレーム内でも反転信号（RVS）の特性によって一つのデータ線を介して流れるデータ電圧の極性を変えたり（例：行反転、ドット反転）、一つの画素行に印加されるデータ電圧の極性を互いに異ならせることもできる（例：列反転、ドット反転）。
【００６６】
以下、本発明の一実施形態による液晶表示装置用薄膜表示板について図４及び図５を参照して詳細に説明する。
【００６７】
図４は、本発明の一実施形態による薄膜表示板の配置図であり、図５は、図４に示す薄膜表示板の５−５’線に沿った断面図である。
【００６８】
絶縁基板１１０上に、ゲート信号を伝達する複数のゲート線１２１と遮蔽部材１２３が形成されている。ゲート線１２１は主に横方向に延び、主に表示領域（DA）と周辺領域（PA）の一部に形成されており、各ゲート線１２１の一部は図４の下方向に突出して複数の突出部（projection）１２７をなす。
【００６９】
遮蔽部材１２３は、周辺領域（PA）において駆動集積回路４４０、５４０が形成されている上部領域と、ランプ９１１、９１２が位置する下部領域との間に主に形成されており、ランプ９１１、９１２が位置しない領域にも形成されることができる。
【００７０】
ゲート線１２１と遮蔽部材１２３は、銀（Ag）や銀合金などの銀系金属、アルミニウム（Al）やアルミニウム合金などのアルミニウム系金属、及び銅（Cu）や銅合金などの銅系金属、及びクロム（Cr）、チタニウム（Ti）、タンタル（Ta）、モリブデン（Mo）及びこれらの合金などからなる導電膜を有する。しかし、ゲート線１２１は物理的性質が異なる二つの導電膜（図示せず）を有する多層膜構造を有することもできる。この場合、一つの導電膜はゲート線１２１の信号遅延や電圧降下を減らせるように低い比抵抗（resistivity）の金属、例えばアルミニウム系金属、銀系金属または銅系金属からなる。これに対し、もう一つの導電膜は他の物質、特にＩＴＯ（indium tin oxide）及びＩＺＯ（indium zinc oxide）との接触特性が優れた物質、例えばクロム、モリブデン、チタニウム、タンタルまたはこれらの合金などからなる。比抵抗が低い導電膜が上部に位置し、接触特性が優れた導電膜が下部に位置する構造として、クロム下部膜とアルミニウム-ネオジム（Nd）合金の上部膜があり、その逆の例として、アルミニウム-ネオジム下部膜とモリブデン上部膜がある。
【００７１】
ゲート線１２１と遮蔽部材１２３の側面は各々傾斜しており、その傾斜角は基板１１０の表面に対して約３０〜８０°である。
【００７２】
ゲート線１２１上には窒化ケイ素（SiNx）などからなるゲート絶縁膜１４０が形成されている。
【００７３】
ゲート絶縁膜１４０上には水素化非晶質シリコン（非晶質シリコンをa-Siと略称する。）などからなる複数の線状半導体１５１が形成されている。線状半導体１５１は主に図４において縦方向に延び、ここから複数の突出部１５４がゲート電極１２４に向けて延びている。また、線状半導体１５１はゲート線１２１と出会う地点付近で幅が大きくなってゲート線１２１の広い面積を覆っている。
【００７４】
半導体１５１の上部にはシリサイドまたはn型不純物が高濃度にドーピングされているn+水素化非晶質シリコンなどの物質で形成された複数の線状及び島状オーミック接触部材（ohmic contact）１６１、１６５が形成されている。線状オーミック接触部材１６１は複数の突出部１６３を有しており、この突出部１６３と島状オーミック接触部材１６５は対をなして半導体１５１の突出部１５４上に配置される。
【００７５】
半導体１５１とオーミック接触部材１６１、１６５の側面も基板１１０の表面に対して傾斜しており、その傾斜角は３０〜８０°である。
【００７６】
オーミック接触部材１６１、１６５及びゲート絶縁膜１４０上には各々複数のデータ線１７１と複数のドレイン電極１７５、及び複数のストレージキャパシタ用導電体１７７が形成されている。
【００７７】
データ線１７１は主に図４において縦方向に延びてゲート線１２１と交差し、データ電圧を伝達する。各データ線１７１からドレイン電極１７５に向けて延びた複数の枝がソース電極１７３をなす。一対のソース電極１７３とドレイン電極１７５は互いに分離されており、ゲート電極１２４に対して互いに対向して位置する。ゲート電極１２４、ソース電極１７３及びドレイン電極１７５は、半導体１５１の突出部１５４と共に薄膜トランジスタ（ＴＦＴ）を構成し、薄膜トランジスタのチャンネルは、ソース電極１７３とドレイン電極１７５の間の突出部１５４に形成される。
【００７８】
ストレージキャパシタ用導電体１７７は、ゲート線１２１の突出部１２７と重畳しており、各データ線１７１の端部１７９は他の層または外部装置との接続のために幅が拡張されている。
【００７９】
データ線１７１はＩＺＯまたはＩＴＯとの物理的、化学的、電気的接触特性が優れた物質であるクロムからなる。データ線はまた、例えばモリブデン（Mo）、モリブデン合金（例：モリブデン-タングステン（MoW）合金）などからなる上部膜と、データ信号の遅延や電圧降下を減らせるように低い比抵抗（resistivity）の金属、例えばアルミニウム（Al）やアルミニウム合金などのアルミニウム系金属からなる中間膜と、アルミニウム系金属が半導体１５１またはオーミック接触部材１６１、１６５に拡散するのを防ぐための金属、例えばモリブデン（Mo）、モリブデン合金（例：モリブデン-タングステン（MoW）合金）、クロム（Cr）などからなる下部膜とからなることができる。
【００８０】
データ線１７１、ドレイン電極１７５及びストレージキャパシタ用導電体１７７もゲート線１２１と同様に、その側面が約３０〜８０°の角度で各々傾斜している。
【００８１】
オーミック接触部材１６１、１６５は、その下部の半導体１５１とその上部のデータ線１７１及びドレイン電極１７５の間に殆ど存在し、接触抵抗を低くする役割を果たす。線状半導体１５１は殆どオーミック接触部材１６１で覆われているが、ソース電極１７３とドレイン電極１７５の間には露出した部分を有する。
【００８２】
データ線１７１、ドレイン電極１７５及びストレージキャパシタ用導電体１７７上には平坦化特性が優れてかつ感光性を有する有機物質、プラズマ化学気相蒸着（ＰＥＣＶＤ）で形成されるa-Si:C:O、a-Si:O:Fなど誘電率４．０以下の低誘電率絶縁物質、または無機物質である窒化ケイ素などからなる保護膜１８０が形成されている。この例とは異なって、保護膜１８０は有機物と窒化ケイ素の二重層からなることもできる。
【００８３】
保護膜１８０には、ゲート駆動集積回路４００のバンパー（図示せず）との接触のために一定の深さを有する補助孔１８１と、データ線１７１の端部１７９、ドレイン電極１７５及びストレージキャパシタ用導電体１７７を各々露出させる複数のコンタクトホール１８２、１８５、１８７とが形成されており、保護膜１８０とゲート絶縁膜１４０にはゲート線１２１の端部を露出させる複数のコンタクトホール１８３が形成されている。この時、図面には補助孔１８１がゲート絶縁膜１４０を露出させる深さとして示しているが、ゲート駆動集積回路４００のバンパーを配設できる深さであれば充分である。
【００８４】
保護膜１８０上にはＩＴＯまたはＩＺＯからなる複数の画素電極１９０及び複数の接触補助部材８２及び連結部材８１が形成されている。
【００８５】
画素電極１９０はコンタクトホール１８５、１８７を介してドレイン電極１７５及びストレージキャパシタ用導電体１７７と各々物理的・電気的に接続され、ドレイン電極１７５からデータ電圧の印加を受け、導電体１７７にデータ電圧を伝達する。
【００８６】
再び図２を参照する。データ電圧が印加された画素電極１９０は、共通電圧の印加を受ける他の表示板２００の共通電極２７０と共に電場を生成することによって、二つの電極間の液晶層３の液晶分子を再配列する（液晶分子の配列を変化させる）。
【００８７】
また、既に説明したように、画素電極１９０と共通電極２７０はキャパシタ（以下、液晶キャパシタと言う）を構成し、薄膜トランジスタがターンオフされた後にも印加された電圧を維持しており、その電圧維持能力を強化するために液晶キャパシタと並列に接続された他のキャパシタを設けるが、これをストレージキャパシタと言う。ストレージキャパシタは、画素電極１９０及びこれと隣接するゲート線１２１（これを前段ゲート線と言う。）の重畳などで形成され、ストレージキャパシタの静電容量、つまり保持容量を増加させるためにゲート線１２１を拡張した突出部１２７を設けて重畳面積を大きくする一方、画素電極１９０と接続され突出部１２７と重畳するストレージキャパシタ用導電体１７７を保護膜１８０下に設けて二つの間の距離を近くする。この例とは異なって、ストレージキャパシタは、共通電圧などの定められた電圧が印加される別個の信号線と画素電極１９０を重畳させて形成することもできる。
【００８８】
また画素電極１９０は、隣接するゲート線１２１及びデータ線１７１と重畳して開口率（aperture ratio）を向上させているが、構成によっては重畳しない場合もある。
【００８９】
接触補助部材８２はコンタクトホール１８２を介してデータ線の端部１７９と接続される。接触補助部材８２は、データ線１７１の端部１７９と外部装置との接着性を補完し、これらを保護する役割を果たす。
【００９０】
連結部材８１は、コンタクトホール１８３を介してゲート線１２１の端部と接続されている。また、連結部材８１は補助孔１８１とその周辺にも形成されており、コンタクトホール１８３を介してゲート駆動集積回路４４０からのゲート信号をゲート線１２１に伝達する。
【００９１】
本発明の他の実施形態によれば、画素電極１９０の材料として透明な導電性ポリマーなどを使用し、反射型（reflective）液晶表示装置の場合には、不透明な反射性金属を使用しても良い。この時、連結部材及び接触補助部材８１、８２は画素電極１９０と異なる物質、特にＩＴＯまたはＩＺＯで形成することができる。
【００９２】
また、本発明の一実施形態による遮蔽部材１２３は一定のパターンを形成して接地できる。例えば、表示板３００の外側に位置するデータ用の可撓性印刷回路基板（ＦＰＣ）（図示せず）またはゲート用のＦＰＣ（図示せず）との接続のために、保護膜１８０に遮蔽部材１２３を露出させるコンタクトホールと連結補助部材とを形成する。それにより、遮蔽部材１２３はＦＰＣの配線を介してＦＰＣに備えられた接地電圧に接続される。このようにして、遮蔽部材１２３が接地されて一定の電圧に固定されるので、より確実な遮蔽効果を得ることができる。
【００９３】
このように、ランプ９１１、９１２が位置する周辺領域（PA）に遮蔽部材１２３を形成し、ランプ９１１、９１２の周波数による影響を遮断することで滝現象を防止することができる。また、中間シャーシまたは絶縁テープを用いず、薄膜表示板の製造工程でマスクの簡単な設計変更で遮蔽部材１２３を形成できるので、製造コストを節減することができる。
【００９４】
以上で本発明の好適な実施形態について詳細に説明したが、本発明の権利範囲はこれに限定されず、特許請求の範囲で定義している本発明の基本概念を利用した当業者の様々な変形及び改良形態も本発明の権利範囲に属する。
【図面の簡単な説明】
【００９５】
【図１】本発明の一実施形態による液晶表示装置のブロック図である。
【図２】本発明の一実施形態による液晶表示装置の一つの画素に対する等価回路図である。
【図３】本発明の一実施形態による液晶表示装置の概略図である。
【図４】本発明の一実施形態による液晶表示装置用薄膜表示板の配置図である。
【図５】図４に示した薄膜表示板の５−５’線に沿った断面図である。
【符号の説明】
【００９６】
３  液晶層
８１  連結部材
８２  接触補助部材
１００  下部表示板
１２１  ゲート線
１２３  遮蔽部材
１２４  ゲート電極
１４０  ゲート絶縁膜
１５１  線状半導体
１６１  オーミック接触部材
１７１  データ線
１７７  ストレージキャパシタ用導電体
１８１  補助孔
１８２  コンタクトホール
１９０  画素電極
２００  上部表示板
２３０  カラーフィルタ
２７０  共通電極
３００  液晶表示板組立体
４００  ゲート駆動部
４４０  ゲート駆動集積回路
５００  データ駆動部
５４０  データ駆動集積回路
６００  信号制御部
８００  階調電圧生成部
R、G、B  入力映像データ
DE  データイネーブル信号
MCLK  メインクロック
Hsync  水平同期信号
Vsync  垂直同期信号
CONT１  ゲート制御信号
CONT２  データ制御信号
DAT  出力映像信号
CLC  液晶キャパシタ
CST  ストレージキャパシタ
Q  スイッチング素子
【図１】
2006201772.tif 000003
【図２】
2006201772.tif 000004
【図３】
2006201772.tif 000005
【図４】
2006201772.tif 000006
【図５】
2006201772.tif 000007